(57)【要約】【課題】過電流に対する耐久性を向上させた配線体を提供する。【解決手段】配線体は、導電性を有する複数の細線によるメッシュ構造を有し、互いに上下方向に重ね合わされた第１配線パターンおよび第２配線パターンを備える。第１配線パターンは、第１方向に並べて配置された複数の第１セル部と、第１セル部同士を電気的に接続する第１接続部と、を有する第１網目状電極を含む。第２配線パターンは、第２方向に並べて配置された複数の第２セル部と、隣り合う第２セル部同士を電気的に接続する第２接続部と、を有する第２網目状電極を含む。第１配線パターンおよび第２配線パターンは、平面視において、第１接続部と第２接続部とが重なるように配置される。第１接続部には、第１方向に延び、かつ第１接続部に含まれるメッシュ構造の細線同士を接続する少なくとも１つの補助配線が設けられている。【選択図】図１
2020021169.tif 000002
【特許請求の範囲】
【請求項１】
導電性を有する複数の細線によるメッシュ構造を有し、上下方向に絶縁され重ね合わされた第１配線パターンおよび第２配線パターンを備え、
前記第１配線パターンは、前記上下方向に交差する第１方向に並べて配置された複数の第１セル部と、前記第１方向で隣り合う前記第１セル部同士を電気的に接続する第１接続部と、を有する第１網目状電極を含み、
前記第２配線パターンは、前記上下方向および前記第１方向の双方に交差する第２方向に並べて配置された複数の第２セル部と、前記第２方向で隣り合う前記第２セル部同士を電気的に接続する第２接続部と、を有する第２網目状電極を含み、
前記第１配線パターンおよび前記第２配線パターンは、前記上下方向から見た平面視において、前記第１接続部と前記第２接続部とが重なるように配置され、
少なくとも前記第１接続部には、前記第１方向に延び、かつ前記第１接続部に含まれる前記メッシュ構造の細線同士を接続する少なくとも１つの補助配線が設けられている、配線体。
【請求項２】
前記第１網目状電極の前記第１方向における一方の端部には、前記第１網目状電極を外部回路に電気的に接続するための引き出し部が設けられ、
前記第１網目状電極の前記第１方向における他方の端部には、前記第１網目状電極を外部回路に電気的に接続するための引き出し部が設けられていない、請求項１に記載の配線体。
【請求項３】
前記第１接続部における、前記第１方向の電流の経路の実質的な本数が増えるように、前記補助配線が配置されている、請求項１または２に記載の配線体。
【請求項４】
前記補助配線は、前記第２方向における前記第１接続部の端部に位置する端部補助配線を含み、前記第１接続部に含まれる前記メッシュ構造の細線の末端同士を接続している、請求項１から３のいずれか１項に記載の配線体。
【請求項５】
前記平面視において、前記端部補助配線が、前記第２接続部に含まれる前記メッシュ構造の細線と重なっていない、請求項４に記載の配線体。
【請求項６】
前記端部補助配線により、前記第１接続部に含まれる前記メッシュ構造の細線の末端がすべて接続されている、請求項４または５に記載の配線体。
【請求項７】
前記補助配線は、前記第２方向における前記第１接続部の中間部に位置する中間補助配線を含む、請求項１から６のいずれか１項に記載の配線体。
【請求項８】
前記平面視において、前記中間補助配線は、前記第２接続部に含まれる前記メッシュ構造の細線の交点と重なる、請求項７に記載の配線体。
【請求項９】
前記第１接続部には、複数の前記補助配線が設けられ、
前記複数の補助配線は、前記第２方向から見たときに、前記第１接続部が接続する前記第１セル部同士の間の領域に連続して設けられている、請求項１から８のいずれか１項に記載の配線体。
【請求項１０】
前記平面視において、前記第１接続部および前記第２接続部が重なる領域の面積に対する、当該領域内の前記細線が設けられていない部分の面積の割合を開口率ＡＮ（％）とし、
前記第１接続部に前記補助配線が設けられていないと仮定したときの前記開口率ＡＮを開口率Ａ０（％）とするとき、
Ｄ＝Ａ０−ＡＮによって算出される差分Ｄ（％）が０．６％以下である、請求項１から９のいずれか１項に記載の配線体。
【請求項１１】
前記平面視において、前記第１接続部および前記第２接続部が重なる領域の面積に対する、当該領域内の前記細線が設けられていない部分の面積の割合を開口率ＡＮ（％）とし、
前記第１接続部に前記補助配線が設けられていないと仮定したときの前記開口率ＡＮを開口率Ａ０（％）とするとき、
Ｉ＝ＡＮ÷Ａ０×１００によって算出される指数Ｉ（％）が９９．３８％以上である、請求項１から１０のいずれか１項に記載の配線体。
【請求項１２】
請求項１から１１のいずれか１項に記載の配線体と、
前記配線体に接続されて前記配線体の静電容量の変化を検出する制御回路と、を備える、タッチセンサ。
【発明の詳細な説明】
【技術分野】
【０００１】
本発明は、配線体およびタッチセンサに関する。
【背景技術】
【０００２】
従来から、下記特許文献１に示されるような、静電容量方式のタッチパネルなどに用いられる配線体が知られている。この配線体は、導電性を有する複数の細線によるメッシュ構造を有し、互いに重ね合わされた２つの配線パターンを備えている。この種の配線体では、使用者が触れた部分の静電容量の変化によって、当該触れた部分の位置を検出することができる。
【先行技術文献】
【特許文献】
【０００３】
【特許文献１】特許第５６３８０２７号公報
【発明の概要】
【発明が解決しようとする課題】
【０００４】
ところで、この種の配線体では、透明性を確保するために、メッシュ構造を構成する細線の径が非常に小さくなっている。細線の径が小さいと、静電気放電などによる過電流によって、例えば細線が焼き切れてしまう場合があり、耐久性を向上させることが求められている。
【０００５】
本発明はこのような事情を考慮してなされ、過電流に対する耐久性を向上させた配線体またはタッチセンサを提供することを目的とする。
【課題を解決するための手段】
【０００６】
上記課題を解決するために、本発明の第１の態様に係る配線体は、導電性を有する複数の細線によるメッシュ構造を有し、上下方向に絶縁され重ね合わされた第１配線パターンおよび第２配線パターンを備え、前記第１配線パターンは、前記上下方向に交差する第１方向に並べて配置された複数の第１セル部と、前記第１方向で隣り合う前記第１セル部同士を電気的に接続する第１接続部と、を有する第１網目状電極を含み、前記第２配線パターンは、前記上下方向および前記第１方向の双方に交差する第２方向に並べて配置された複数の第２セル部と、前記第２方向で隣り合う前記第２セル部同士を電気的に接続する第２接続部と、を有する第２網目状電極を含み、前記第１配線パターンおよび前記第２配線パターンは、前記上下方向から見た平面視において、前記第１接続部と前記第２接続部とが重なるように配置され、少なくとも前記第１接続部には、前記第１方向に延び、かつ前記第１接続部に含まれる前記メッシュ構造の細線同士を接続する少なくとも１つの補助配線が設けられている。
【０００７】
上記態様に係る配線体は、第１接続部に含まれるメッシュ構造の細線同士を接続する補助配線を有している。このため、静電気放電などに起因する電流が第１接続部を流れる際に、この電流が流れる経路が増やされている。これにより電流が分散されて、第１接続部を構成する各細線に流れる電流が小さくなる。したがって、静電気放電などによる過電流によって細線が断線することなどが抑止され、配線体の耐久性を向上させることができる。
【０００８】
ここで、前記第１網目状電極の前記第１方向における一方の端部には、前記第１網目状電極を外部回路に電気的に接続するための引き出し部が設けられ、前記第１網目状電極の前記第１方向における他方の端部には、前記第１網目状電極を外部回路に電気的に接続するための引き出し部が設けられていなくてもよい。
【０００９】
このように第１網目状電極の第１方向における他方の端部に前記第１網目状電極を外部回路に電気的に接続するための引き出し部が設けられていない、いわゆる非ループ回路とした場合には、静電気放電が生じた際に第１接続部に流れる電流が大きくなるが、上記の通り補助配線によって第１接続部の耐久性を向上させることができる。また、この場合、第１方向における第１網目状電極の他方の端部にも引き出し部を設けた場合と比較して、配線体のうち透明性が確保された部分の第１方向における割合が大きくなる。したがって、配線体をタッチパネルに用いたときに、このタッチパネルの第１方向における画像表示領域の拡大などに寄与することができる。
【００１０】
また、前記第１接続部における、前記第１方向の電流の経路の実質的な本数が増えるように、前記補助配線が配置されていてもよい。
【００１１】
この場合、第１接続部を流れる電流をより確実に分散させることができる。
【００１２】
また、前記補助配線は、前記第２方向における前記第１接続部の端部に位置する端部補助配線を含み、前記第１接続部に含まれる前記メッシュ構造の細線の末端同士を接続していてもよい。
【００１３】
この場合、補助配線を設けた部分における細線の密集度合いが変化しにくい。したがって、補助配線が視認性に与える影響を低減することができる。
【００１４】
また、前記平面視において、前記端部補助配線が、前記第２接続部に含まれる前記メッシュ構造の細線と重なっていなくてもよい。
【００１５】
この場合、端部補助配線と第２接続部の細線とがコンデンサーのように作用して静電容量が増大してしまう現象が抑えられる。これにより、タッチパネルに配線体が用いられた場合に、タッチパネルが操作されたときの静電容量の変化を検出しやすくなる。したがって、端部補助配線を設けたことによるタッチパネルの感度の低下を抑えることができる。
【００１６】
また、前記端部補助配線により、前記第１接続部に含まれる前記メッシュ構造の細線の末端がすべて接続されていてもよい。
また、前記補助配線は、前記第２方向における前記第１接続部の中間部に位置する中間補助配線を含んでいてもよい。
【００１７】
これらの場合、第１接続部を流れる電流をより確実に分散させることができる。
【００１８】
また、前記平面視において、前記中間補助配線は、前記第２接続部に含まれる前記メッシュ構造の細線の交点と重なっていてもよい。
【００１９】
この場合、中間補助配線と第２接続部の細線との重なり面積を極力小さくすることが可能となり、静電容量（寄生容量）の増加によるタッチパネルの感度低下を抑えることができる。
【００２０】
また、前記第１接続部には、複数の前記補助配線が設けられ、前記複数の補助配線は、前記第２方向から見たときに、前記第１接続部が接続する前記第１セル部同士の間の領域に連続して設けられていてもよい。
【００２１】
この場合、第１接続部を流れる電流をより確実に分散させることができる。
【００２２】
また、平面視において、前記第１接続部および前記第２接続部が重なる領域の面積に対する、当該領域内の前記細線が設けられていない部分の面積の割合を開口率ＡＮ（％）とし、前記第１接続部に前記補助配線が設けられていないと仮定したときの前記開口率ＡＮを開口率Ａ０（％）とするとき、Ｄ＝Ａ０−ＡＮによって算出される差分Ｄ（％）が０．６％以下であってもよい。
また、平面視において、前記第１接続部および前記第２接続部が重なる領域の面積に対する、当該領域内の前記細線が設けられていない部分の面積の割合を開口率ＡＮ（％）とし、前記第１接続部に前記補助配線が設けられていないと仮定したときの前記開口率ＡＮを開口率Ａ０（％）とするとき、Ｉ＝ＡＮ÷Ａ０×１００によって算出される指数Ｉ（％）が９９．３８％以上であってもよい。
【００２３】
これらの場合、補助配線が設けられたことによる視認性への影響を抑えることができる。
【００２４】
また、本発明の第２の態様に係るタッチセンサは、前記配線体と、前記配線体に接続されて前記配線体の静電容量の変化を検出する制御回路と、を備える。
【発明の効果】
【００２５】
本発明の上記態様によれば、過電流に対する耐久性を向上させた配線体またはタッチセンサを提供することができる。
【図面の簡単な説明】
【００２６】
【図１】本実施形態の配線体を備えた入力装置の斜視図である。
【図２】図１のタッチパネルの分解斜視図である。
【図３】図２の第１配線層の平面図である。
【図４】図２の第２配線層の平面図である。
【図５】（ａ）は図３の第１網目状電極の拡大図である。（ｂ）は（ａ）の第１接続部の拡大図である。
【図６】（ａ）は図４の第２網目状電極の拡大図である。（ｂ）は（ａ）の第２接続部の拡大図である。
【図７】変形例に係る第１接続部の拡大図である。
【発明を実施するための形態】
【００２７】
まず、本実施形態の配線体を備える入力装置１の構成について、図１を用いて説明する。図１に示すように、入力装置１は、タッチパネル２と、回路基板（外部回路）３０と、画像表示装置７とを備えている。回路基板３０は、制御回路４０に接続される。
入力装置１は、静電容量方式を用いた操作者の操作位置を検出する機能（位置検出機能）を有している。入力装置１は、例えばスマートフォンやタブレット端末などの電子機器に組み込まれて、操作者による入力のインターフェースとして機能する。
【００２８】
タッチパネル２は、制御回路４０に接続される配線体８（図２参照）を備えている。制御回路４０は、タッチパネル２の表面に操作者が触れたときの配線体８の静電容量の変化を検出し、これによって操作者の操作位置を検出することができる。つまり、制御回路４０および配線体８はタッチセンサを構成している。
回路基板３０は、フレキシブルプリント基板などであり、タッチパネル２の外部に設けられている。回路基板３０は、タッチパネル２の後述する第１網目状電極１２および第２網目状電極２２と電気的に接続されている。なお、回路基板３０内で、引き出し線１５が引き出し線２６、２７と交差しているように見える部分には、スルーホールが設けてある。このため、引き出し線１５は、引き出し線２６、２７と電気的に接続されていない。また、後述する複数の網目状電極１２、２２は、それぞれ独立して制御回路４０に電気的に接続されている。
【００２９】
図２は、タッチパネル２の構造を示す分解斜視図である。図２に示すように、タッチパネル２は、カバー体３と、第１接着層４と、配線体８と、第２接着層６とを備えている。
【００３０】
配線体８は、画像表示装置７が表示した画像を操作者が配線体８を通して視認することができるように透明に形成されている。配線体８は、カバー体３及び画像表示装置７の少なくとも一方により支持されている。配線体８は、樹脂層５と、第１配線層１０と、第２配線層２０と、を有している。
【００３１】
（方向定義）
ここで、本実施形態ではＸＹＺ直交座標系を設定して各構成の位置関係を説明する。配線体８の各層が重ねられた方向を上下方向Ｚといい、上下方向Ｚにおけるカバー体３側を上方（＋Ｚ側）、画像表示装置７側を下方（−Ｚ側）という。
また、後述する複数の第１セル部１２ａが並べられた方向を第１方向Ｙという。第１方向Ｙは、上下方向Ｚに直交している。第１方向Ｙにおける一方側を−Ｙ側といい、他方側を＋Ｙ側という。
また、後述する複数の第１網目状電極１２が並べられた方向を第２方向Ｘという。第２方向Ｘは、上下方向Ｚおよび第１方向Ｙの双方に直交する方向である。第２方向Ｘにおける一方側を−Ｘ側といい、他方側を＋Ｘ側という。
【００３２】
画像表示装置７は、配線体８の下方に配置されている。画像表示装置７は、例えば液晶ディスプレイである。画像表示装置７は、所定の画像を表示するように構成されており、この画像に応じて操作者がタッチパネル２を操作する。画像表示装置７は、第２接着層６によって、配線体８に下方から接着されている。
【００３３】
カバー体３は、一様の厚みを有する板状の部材である。カバー体３は、第１接着層４によって配線体８に上方から接着されており、配線体８を保護している。カバー体３は、操作者が直接触れる部位である。カバー体３は、透明部３ａと、透明部３ａの外周に位置する非透明部３ｂと、を有している。非透明部３ｂは、引き出し部１４、２４、２５および引き出し線１５、２６、２７などを隠すように、非透明に形成されている。カバー体３の材質としては、例えばソーダライムガラスまたはホウケイ酸ガラスなどのガラス、あるいはポリカーボネイト、アクリル、ポリメタクリル酸メチル（ＰＭＭＡ）等の透明樹脂を用いることができる。
【００３４】
第１接着層４は、配線体８をカバー体３に貼り合わせるために用いられる。第１接着層４としては、アクリル樹脂系接着剤、ウレタン樹脂系接着剤、ポリエステル樹脂系接着剤等の公知の接着剤を用いることができる。
第２接着層６は、画像表示装置７と配線体８との間に位置しており、画像表示装置７を配線体８に貼り合わせるために用いられる。第２接着層６の材質としては、第１接着層４として用いられる接着剤と同様の接着剤を用いることができる。
【００３５】
（第１配線パターン）
図３に示すように、第１配線層１０は、第１透明基体１１と、第１透明基体１１上に形成された第１配線パターン１０ａとを有している。第１透明基体１１は、透明かつ絶縁性を有する樹脂によって形成されている。第１配線パターン１０ａは、導電性を有する複数の細線によるメッシュ構造を有し、全体として第１方向Ｙに長い長方形状の領域に形成されている。当該長方形状の領域の中で、複数（図３では３つ）の第１網目状電極１２が第２方向Ｘに並べられており、第１網目状電極１２以外の部分を埋めるように第１ダミー部１３が配置されている。第１配線パターン１０ａのメッシュ構造を構成する複数の細線は、第１方向Ｙおよび第２方向Ｘに対して、一定の角度（図示の例では４５°）をなすように延びている。メッシュ構造を構成する細線の幅は極めて小さく、肉眼ではほぼ視認することができない程度となっている。なお、第１配線層１０のうち第１配線パターン１０ａはカバー体３の透明部３ａを通して視認される領域であるが、その他の部分はカバー体３の非透明部３ｂによって覆われて視認されない領域である。このため、第１配線パターン１０ａ以外の部分は透明でなくてもよい。
【００３６】
第１ダミー部１３は、第１配線パターン１０ａのうち、メッシュ構造における細線同士の交点が分断された部分である。第１網目状電極１２は、第１配線パターン１０ａのうち、メッシュ構造における細線同士の交点が分断されずに、回路基板３０に電気的に接続された部分である。なお、第１ダミー部１３は、第２方向Ｘで並べて配置された第１網目状電極１２同士の間にも配置されている。したがって、第２方向Ｘで隣り合う第１網目状電極１２同士は、互いに絶縁されている。
【００３７】
各第１網目状電極１２は、複数の第１セル部１２ａと、複数の第１接続部１２ｂと、を有している。第１セル部１２ａは、上下方向Ｚに交差（本実施形態では直交）する第１方向Ｙに並べて配置されている。第１接続部１２ｂは、上下方向Ｚに交差（本実施形態では直交）する第１方向Ｙで隣り合う第１セル部１２ａ同士を接続している。
図３の例では、各第１網目状電極１２に、３つの第１セル部１２ａが含まれている。各第１セル部１２ａは略正方形状に形成されている。第１網目状電極１２の第１方向Ｙにおける両端部は、略三角形状に形成された電極部となっている。
【００３８】
第２方向Ｘにおいて、第１セル部１２ａの幅は第１接続部１２ｂの幅よりも大きい。なお、第１接続部１２ｂとは、第１方向Ｙに直交する断面において、第１網目状電極１２のうち第１セル部１２ａよりも細線の断面積の合計値が小さくなっている部分をいう。
また、第１セル部１２ａおよび第１接続部１２ｂのメッシュ構造における細線のピッチは同等である。このため、幅が小さく細線の本数も少ない第１接続部１２ｂのほうが、第１セル部１２ａよりも電流密度が大きくなる。
なお、第１網目状電極１２に含まれる第１セル部１２ａの数および形状、第１網目状電極１２の第１方向Ｙにおける両端部の形状などは適宜変更してもよい。例えば、第１セル部１２ａは、四角形状（矩形、菱形等）、円形状、四角形状以外の多角形状（３角形や６角形等）、およびこれらの形状の一部を切り欠いたり角を丸めたりした形状であってもよい。
【００３９】
第１配線層１０には、第１網目状電極１２を回路基板３０（図１参照）に電気的に接続するための引き出し部１４および引き出し線１５が設けられている。引き出し部１４および引き出し線１５は、カバー体３の非透明部３ｂに覆われて視認されない部分である。各第１網目状電極１２は、引き出し部１４に電気的に接続されている。引き出し部１４は、引き出し線１５を介して回路基板３０に電気的に接続されている。つまり、各第１網目状電極１２は、引き出し部１４および引き出し線１５を介して、回路基板３０に電気的に接続されている。なお、引き出し部１４および引き出し線１５は、メッシュ構造として形成されていてもよい。
【００４０】
引き出し部１４は、各第１網目状電極１２の−Ｙ側の端部に設けられている。引き出し部１４は、第１網目状電極１２の第２方向Ｘ方向における位置に対応するように、第２方向Ｘ方向に間隔を空けて複数配置されている。本実施形態では、引き出し部１４は、各第１網目状電極１２の＋Ｙ側の端部には設けられていない。つまり、各第１網目状電極１２の第１方向Ｙにおける一方側の端部にのみ、引き出し部１４が設けられている。したがって、後述する第２網目状電極２２と異なり、第１網目状電極１２は非ループ回路を構成している。言い換えると、第１網目状電極１２は、後述するループ回路Ｌを構成していない。
【００４１】
（第２配線パターン）
図４に示すように、第２配線層２０は、第２透明基体２１と、第２透明基体２１上に形成された第２配線パターン２０ａとを有している。第２透明基体２１は、透明かつ絶縁性を有する樹脂によって形成されている。第２配線パターン２０ａは第１配線パターン１０ａに対して絶縁されている。第２配線パターン２０ａは、導電性を有する複数の細線によるメッシュ構造を有し、全体として第１方向Ｙに長い長方形状の領域に形成されている。当該長方形状の領域の中で、複数（図４では４つ）の第２網目状電極２２が第１方向Ｙに並べられており、第２網目状電極２２以外の部分を埋めるように第２ダミー部２３が配置されている。第２配線パターン２０ａのメッシュ構造を構成する複数の細線は、第１方向Ｙおよび第２方向Ｘに対して、一定の角度（図示の例では４５°）をなすように延びている。メッシュ構造を構成する細線の幅は極めて小さく、肉眼ではほぼ視認することができない程度となっている。なお、第２配線層２０のうち第２配線パターン２０ａはカバー体３の透明部３ａを通して視認される領域であるが、その他の部分は非透明部３ｂによって覆われて視認されない領域である。このため、第２配線パターン２０ａ以外の部分は透明でなくてもよい。
【００４２】
第２ダミー部２３は、第２配線パターン２０ａのうち、メッシュ構造における細線同士の交点が分断された部分である。第２網目状電極２２は、第２配線パターン２０ａのうち、メッシュ構造における細線同士の交点が分断されずに、回路基板３０に電気的に接続された部分である。なお、第２ダミー部２３は、第１方向Ｙで並べて配置された第２網目状電極２２同士の間にも配置されている。したがって、第１方向Ｙで隣り合う第２網目状電極２２同士は、互いに絶縁されている。
【００４３】
各第２網目状電極２２は、複数の第２セル部２２ａと、複数の第２接続部２２ｂと、を有している。第２セル部２２ａは、上下方向Ｚおよび第１方向Ｙに交差（本実施形態では直交）する第２方向Ｘに並べて配置されている。第２接続部２２ｂは、上下方向Ｚおよび第１方向Ｙに交差（本実施形態では直交）する第２方向Ｘで隣り合う第２セル部２２ａ同士を接続している。
図４の例では、各第２網目状電極２２に、２つの第２セル部２２ａが含まれている。各第２セル部２２ａは第１セル部１２ａと同様の略正方形状に形成されている。第２網目状電極２２の第２方向Ｘにおける両端部は、略三角形状に形成された電極部となっている。
【００４４】
第１方向Ｙにおいて、第２セル部２２ａの幅は第２接続部２２ｂの幅よりも大きい。なお、第２接続部２２ｂとは、第２方向Ｘに直交する断面において、第２網目状電極２２のうち第２セル部２２ａよりも細線の断面積の合計値が小さくなっている部分をいう。
また、第２セル部２２ａおよび第２接続部２２ｂのメッシュ構造における細線のピッチは同等である。このため、幅が小さく細線の本数も少ない第２接続部２２ｂのほうが、第２接続部２２ｂよりも電流密度が大きくなる。
なお、第２網目状電極２２に含まれる第２セル部２２ａの数および形状、第２網目状電極２２の第２方向Ｘにおける両端部の形状などは適宜変更してもよい。例えば、第２セル部２２ａは四角形（矩形、菱形等）、円形、四角形以外の多角形（３角形や６角形等）、およびこれらの形状の一部を切り欠いたり角を丸めたりした形状であってもよい。ただし、第１セル部１２ａおよび第２セル部２２ａは、互いに同様の形状であることが好ましい。
【００４５】
第２配線層２０には、第２網目状電極２２を回路基板３０に電気的に接続するための引き出し部２４、２５および引き出し線２６、２７が設けられている。引き出し部２４、２５および引き出し線２６、２７は、カバー体３の非透明部３ｂに覆われて視認されない部分である。各第２網目状電極２２は、引き出し部２４、２５に電気的に接続されている。引き出し部２４、２５は、引き出し線２６、２７を介して、回路基板３０に電気的に接続されている。つまり、各第２網目状電極２２は、引き出し部２４、２５および引き出し線２６、２７を介して、回路基板３０に電気的に接続されている。なお、引き出し部２４、２５および引き出し線２６、２７は、メッシュ構造として形成されていてもよい。
【００４６】
引き出し部２４は、各第２網目状電極２２の−Ｘ側の端部に設けられており、引き出し部２５は、各網目状電極２２の＋Ｘ側の端部に設けられている。つまり、引き出し部２４、２５は、第２網目状電極２２の第２方向Ｘにおける両端部に設けられている。引き出し部２４、２５はそれぞれ、第２網目状電極２２のＹ方向における位置に対応するように、Ｙ方向に間隔を空けて複数配置されている。
引き出し部２４に接続された引き出し線２６、および引き出し部２５に接続された引き出し線２７は、回路基板３０内で電気的に接続されている。したがって、網目状電極２２、引き出し部２４、２５、および引き出し線２６、２７は、回路基板３０を介してループ回路Ｌを構成している（図１参照）。
【００４７】
第２セル部２２ａは、第１配線層１０と第２配線層２０とが重ねられたときに、第１配線パターン１０ａの第１ダミー部１３と重なるように配置されている。第２セル部２２ａは、第１セル部１２ａに対して重ならず、隣り合うように配置されている。
第２接続部２２ｂは、第１配線層１０と第２配線層２０とが重ねられたときに、第１接続部１２ｂと重なるように配置されている。
第２ダミー部２３は、第１配線層１０と第２配線層２０とが重ねられたときに、第１配線パターン１０ａの第１セル部１２ａと重なるように配置されている。
なお、第１セル部１２ａと第２セル部２２ａとが重ならないように配置することで、タッチセンサの検知性能を高めることができる。しかしながら、このように配置すると、接続部１２ｂ、２２ｂの幅が狭くなり電流密度が高まるため、過電流に対する耐久性の低下が懸念される。そこで本実施形態では、後述の補助配線１２ｃ、１２ｄを設けている。
【００４８】
第１配線パターン１０ａおよび第２配線パターン２０ａは、画像表示装置７が有する表示部の位置に対応する位置に形成されている。操作者がカバー体３に接触すると、第１網目状電極１２および第２網目状電極２２の間の静電容量値が変化し、この静電容量値の変化は回路基板３０を介して、制御回路４０で検出するように構成されている。これにより、操作者の操作位置（接触位置）を検出することができる。
【００４９】
第１網目状電極１２は第１透明基体１１上に形成され、第２網目状電極２２は第２透明基体２１上に形成されている。このため、タッチパネル２の各層が重ねられた状態において、第１網目状電極１２および第２網目状電極２２は、第２透明基体２１によって電気的に絶縁されている。このような網目状電極１２、２２を形成する方法としては、特に限定されないが、例えば国際公開第２０１６／１８６１１７号公報に示される方法を採用することができる。
【００５０】
ところで、このように構成された配線体８は、タッチパネル２または入力装置１として組み立てられる前後を問わず、静電気放電などの過電流を受けても故障（断線、短絡など）しないことが求められる。
特に、第１網目状電極１２および第２網目状電極２２の中でも各々の接続部１２ｂ、２２ｂにおいては、電流が流れる経路となる細線の本数が、その他の部分と比較して少ない。したがって、静電気放電などの過電流が流れた場合、接続部１２ｂ、２２ｂの電流密度が最も大きくなる傾向があり、断線などの故障が発生しやすい。
さらに、回路基板３０の端子部分から静電気放電などによる過電流が流れた場合、第２網目状電極２２はループ回路Ｌを構成しているため、電流は第２網目状電極２２の両端部に設けられた２つの引き出し線２６、２７に分岐したうえで、第２網目状電極２２の内部を流れるが、第１網目状電極１２はループ回路Ｌを構成していないため、第２網目状電極２２に流れる電流よりも大きくなる。これにより、静電気放電などの過電流による断線などの故障は、ループ回路Ｌを構成していない第１網目状電極１２で発生しやすい。
【００５１】
したがって、静電気放電などの過電流が生じた場合、第１接続部１２ｂの細線に流れる電流が最も大きくなる傾向があり、断線などの故障が発生しやすい。
そこで本実施形態では、第１接続部１２ｂの各細線に流れる電流を小さくするために、図５（ａ）、（ｂ）に示すような補助配線１２ｃを設ける。
【００５２】
（補助配線）
図５（ａ）は、図３に示す第１接続部１２ｂ近傍の拡大図である。図５（ｂ）は、図５（ａ）の一点鎖線部をさらに拡大した図である。図５（ｂ）に示すように、第１接続部１２ｂには、第１方向Ｙに延びる端部補助配線１２ｃが設けられている。端部補助配線１２ｃは、第１網目状電極１２のメッシュ構造を構成する細線と同様の材質および同様の幅を有する、導電性を有する細線である。ただし、端部補助配線１２ｃは、メッシュ構造を構成する細線に対して、一定の角度で交わっている。
【００５３】
端部補助配線１２ｃは、第２方向Ｘにおける第１接続部１２ｂの端部に位置している。端部補助配線１２ｃは、第１接続部１２ｂに含まれるメッシュ構造の細線の末端同士を接続するように配置されている。なお、本明細書における「メッシュ構造の細線の末端」とは、メッシュ構造の細線のうち、規則的な格子形状を形成していない部分をいう。このような末端は、網目状電極１２とダミー部１３との境界線上に生じる。
本実施形態では、第１接続部１２ｂに含まれるすべての末端を接続するように、第１接続部１２ｂの＋Ｘ側端部および−Ｘ側端部の両方に、複数の端部補助配線１２ｃが配置されている。なお、「すべての末端を接続する」とは、すべての末端を、当該末端に隣接する１つの末端に接続することをいう。例えば図５（ｂ）では、互いに隣接する末端同士が接続されているが、隣接していない末端同士は接続されていない。この場合も「全ての末端を接続する」ことに含まれる。
【００５４】
図５（ｂ）では、第１配線パターン１０ａおよび第２配線パターン２０ａが重ねられて配線体８となったときの、第２接続部２２ｂを構成する細線の位置を破線で示している。なお、図面を見やすくするため、図５（ｂ）では第２接続部２２ｂの細線を一部抜粋して破線で表示しており、第２接続部２２ｂの細線の全体を示しているわけではない。
図５（ｂ）に示すように、上下方向から見た平面視において、複数の端部補助配線１２ｃおよび第２接続部２２ｂの細線（破線）は交わっていない。すなわち、平面視において、端部補助配線１２ｃは第２接続部２２ｂの細線と重ならないように配置されている。これにより、端部補助配線１２ｃと第２接続部２２ｂとがコンデンサーのように作用して当該部分の静電容量が増大してしまうことが抑えられる。
【００５５】
このように、第１接続部１２ｂには端部補助配線１２ｃが設けられている。
その一方で、端部補助配線１２ｃが設けられる部分は細線の格子パターンが不規則となり、かつ、透明性（透過率）が低減する事から、視認性を低下させる傾向がある。このため、図６（ａ）、（ｂ）に示すように、第２接続部２２ｂには補助配線が設けられていない。第２接続部２２ｂには補助配線が設けられなくても、第２網目状電極２２はループ回路Ｌを構成しているため、静電気放電による電流が、２つの引き出し部２４、２５から分かれて第２接続部２２ｂに流れる。したがって、第２接続部２２ｂは第１接続部１２ｂよりも静電気放電による電流密度が小さくなるため、本実施形態では第２接続部２２ｂに補助配線を設けていない。
【００５６】
以上説明したように、本実施形態の配線体８によれば、第１接続部１２ｂに含まれるメッシュ構造の細線同士を接続する補助配線１２ｃを有している。このため、静電気放電などに起因する過電流が第１接続部１２ｂを流れる際に、この電流が流れる経路を増やすことができる。これにより電流が分散されて、第１接続部１２ｂを構成する各細線に流れる電流が小さくなる。したがって、細線の断線などが抑止され、配線体８の耐久性を向上させることができる。
【００５７】
また、第１網目状電極１２のうち、−Ｙ側の端部には引き出し部１４が設けられているが、＋Ｙ側の端部には、第１網目状電極１２を回路基板３０に接続するための引き出し部が設けられていない。これにより、第１網目状電極１２の＋Ｙ側の端部にも引き出し部を設けた場合と比較して、配線体８のうち透明性が確保された部分の第１方向Ｙ及び第２方向Ｘにおける割合が大きくなる。したがって、タッチパネル２の第１方向Ｙにおける画像表示領域の拡大や、入力装置１を内蔵した電子機器（スマートフォン、タブレット端末など）の小型化などに寄与することができる。また、このように第１網目状電極１２を非ループ回路とした場合には、静電気放電が生じた際に第１接続部１２ｂに流れる電流が大きくなるが、上記の通り補助配線１２ｃによって第１接続部１２ｂの耐久性を向上させることができる。
【００５８】
また、端部補助配線１２ｃは、第２方向Ｙにおける第１接続部１２ｂの端部に位置しており、第１接続部１２ｂに含まれるメッシュ構造の末端同士を接続している。このような構成により、端部補助配線１２ｃを設けた部分における細線の密集度合いが変化しにくくなっている。したがって、端部補助配線１２ｃが画像表示装置７の視認性に与える影響を低減することができる。
【００５９】
また、上下方向Ｚから見た平面視において、第２接続部２２ｂを構成する細線と重ならないように端部補助配線１２ｃが配置されている。これにより、端部補助配線１２ｃと第２接続部２２ｂの細線とがコンデンサーのように作用して寄生容量が増大してしまう現象が抑えられる。したがって、タッチパネル２が操作されたときの静電容量の変化を検出しやすくなり、端部補助配線１２ｃを設けたことによるタッチパネル２の感度の低下を抑えることができる。
【００６０】
また、端部補助配線１２ｃによって、第１接続部１２ｂに含まれる細線の末端がすべて接続されている。これにより、より確実に第１接続部１２ｂの耐久性を向上させることができる。
【００６１】
また、本実施形態の配線体８を用いてタッチパネル２または入力装置１などを構成することで、例えば回路基板３０と配線体８との接続部を通じて、第１網目状電極１２に静電気放電による電流が流れたとしても、端部補助配線１２ｃによってこの電流が分散され、配線体８の故障を抑えることができる。
【００６２】
なお、端部補助配線１２ｃに代えて、あるいは端部補助配線１２ｃとともに、図７に示すような中間補助配線１２ｄを、第１接続部１２ｂに設けてもよい。中間補助配線１２ｄは、第２方向Ｘにおける第１接続部１２ｂの中間部に位置している。中間補助配線１２ｄは、第１接続部１２ｂにおける細線の交点同士を結ぶように配置されている。中間補助配線１２ｄは、第１接続部１２ｂが接続する２つの第１セル部１２ａの各端部にまたがって延びている。このような中間補助配線１２ｄを設けることで、第１接続部１２ｂを流れる電流をより確実に分散させることができる。
【００６３】
また、第１セル部１２ａ同士の間の領域に、中間補助配線１２ｄが連続して設けられている。この構成によれば、中間補助配線１２ｄによって電流の通過経路を少なくとも１つ増やすことができ、より確実に第１接続部１２ｂの耐久性を向上させることができる。
また、平面視において、中間補助配線１２ｄは、第２接続部２２ｂに含まれるメッシュ構造の細線（図７の破線）の交点と重なっている。この構成により、中間補助配線１２ｄと第２接続部２２ｂの細線との重なり面積を極力小さくすることが可能となり、静電容量（寄生容量）の増加によるタッチパネル２の感度低下を抑えることができる。なお、図５（ｂ）と同様に、図７では第２接続部２２ｂの細線を一部抜粋して破線で表示している。
【００６４】
（実験例）
以下、具体的な実験例を用いて、上記実施形態を説明する。なお、本発明は以下の実験例に限定されない。
【００６５】
補助配線１２ｃ、１２ｄを設けることで、上述の通り配線体８の耐久性を向上させることができる。しかしながら、補助配線１２ｃ、１２ｄを設けると、細線の一様な格子パターンが第１接続部１２ｂで崩れて不規則となる。また、接続部１２ｂ、２２ｂではメッシュ構造の細線同士が重なるため、セル部１２ａ、２２ａと比較して電極密度が大きくなる。このため、接続部１２ｂ、２２ｂとセル部１２ａ、２２ａとで、配線体８を通した画像表示装置７の見た目が変化することが考えられる。そして、このような見た目の変化は、画像表示装置７の視認性の低下につながる。
そこで本実験例では、補助配線１２ｃ、１２ｄを設けたことによる耐久性の向上、及び、配線体８を通した画像表示装置７の視認性への影響について検討した。
【００６６】
本実験例では、配線パターン１０ａ、２０ａのメッシュ構造を構成する細線の幅を３μｍとした。また、メッシュ構造に含まれる格子は、１辺が１７５μｍの正方形状とした。
また、カバー体３として無アルカリガラス（コーニング社製EagleXG（登録商標）、厚さ1.1mm）を用い、接着層６として高透明性接着性転写テープ（３Ｍ社製OCA8146-4、厚さ0.1mm）を用いた。配線体８のうち、樹脂層５および透明基体１１、２１は、全て同一の透明樹脂材料（屈折率１．５程度）によって形成されている。配線体８は、この透明樹脂材料の内部に細線が形成された構造となっている。
【００６７】
配線体８の総厚は０．３５ｍｍ、配線パターン１０ａ、２０ａの重なり部の全光線透過率は８９±１％、ヘーズは１．５±０．５％、全光線反射率は８．０±０．５％、拡散反射率は０．７５±０．２５のものを用いた。ここで、前記の光学特性の測定にはJIS K ７３７５：プラスチック−全光線透過率及び全光線反射率の求め方、JIS K ７１３６：プラスチック−透明材料のヘーズの求め方、およびJIS Z ８７２２：色の測定方法−反射及び透過物体色、に記載の方法を用いることができる。より具体的には、測定装置としては日本分光社製V-670を用い、波長３８０〜７８０ｎｍの範囲を２ｎｍ間隔で測定し、各波長における特性の平均値を用いた。
【００６８】
また、後述の視認性の確認方法としては、暗所にて、３波長昼白色蛍光灯を用い、背景に光沢のある白および黒の背景板を用い、観察対象物への蛍光灯からの光量が2000Lux程度となる位置にサンプルを置いて観察した。ここで、白および黒の背景板としては、例えば、サカタインクスエンジニアリング社製のBCRA光沢版、または光沢液晶ディスプレイ等を用いる事ができる。
この条件で、第１接続部１２ｂに設ける補助配線（端部補助配線１２ｃ及び中間補助配線１２ｄの少なくとも一方）を設けて、第１接続部１２ｂの開口率を変化させた。その結果を以下の表１を用いて説明する。
【００６９】
【表１】
2020021169.tif 000003
【００７０】
「開口率Ａ」は、第１接続部１２ｂおよび第２接続部２２ｂを重ねて平面視したときの、第１接続部１２ｂおよび第２接続部２２ｂが重なる領域の面積に対する、当該領域内の細線が設けられてない部分の面積の割合を示している。例えば実験例１の場合には、第１接続部１２ｂおよび第２接続部２２ｂが重なる領域での、第１接続部１２ｂおよび第２接続部２２ｂを構成する細線の面積の割合が３．３％であり、開口率Ａは９６．７％であった。これに対して、実験例２の場合には、補助配線を追加し、第１接続部１２ｂに含まれる細線の面積の割合を０．３％増加させて３．６％とした。このため、実験例２のときの開口率Ａは９６．４％となった。
【００７１】
表１の「差分Ｄ」は、以下の数式（１）により算出される値である。
ここでＡＮは、Ｎの数値に応じた開口率Ａの値である。例えば実験例２のとき、Ａ１＝９６．４％である。またＡ０は、実験例１のときの開口率の値（表１の例では９６．７％）である。
Ｄ＝Ａ０−ＡＮ  …（１）
つまり差分Ｄは、補助配線を設けたときの、このような補助配線を設けなかったと仮定した場合に対する開口率Ａの差分である。
【００７２】
表１の「指数Ｉ」は、以下の数式（２）によって算出される値である。
Ｉ＝ＡＮ÷Ａ０×１００  …（２）
指数Ｉは、配線パターン１０ａ、２０ａに含まれる細線の規則的な配列に対して、補助配線がどの程度の不規則性を与えているかを示す数値となる。したがって指数Ｉは、補助配線が画像表示装置７の視認性に与える影響を評価する指標として用いることができる。
【００７３】
表１の「視認性」は、配線パターン１０ａ、２０ａを重ねて平面視したときに、接続部１２ｂが位置する部分とその他の部分とで見た目がどの程度変化したかを示している。具体的には、接続部１２ｂの位置を認識できなかった場合に、視認性をＡ（非常に良好）としている。また、接続部１２ｂの位置をかろうじて認識できた場合をＢ（良好）とし、接続部１２ｂが一部認識できた場合をＣ（通常）としている。
【００７４】
表１の結果から、差分Ｄを０．６％以下とすること、あるいは指数Ｉを９９．３８％以上とすることで、補助配線を設けたとしても、視認性の悪化を十分に抑えて、良好な視認性を得ることができる。
さらに、差分Ｄを０．３％以下とすること、あるいは指数Ｉを９９．６９％以上とすることで、補助配線１２ｃ、１２ｄを設けたとしても、このような補助配線を設けない場合と比較した視認性の低下をより確実に抑えて、非常に良好な視認性を得ることができる。
【００７５】
なお、本発明の技術的範囲は前記実施の形態に限定されず、本発明の趣旨を逸脱しない範囲において種々の変更を加えることが可能である。
【００７６】
例えば、前記実施形態では、第１網目状電極１２にのみ補助配線１２ｃ、１２ｄを設けたが、同様の補助配線を第２網目状電極２２に設けてもよい。この場合、第２接続部２２ｂに、第２方向Ｘに延びる端部補助配線および中間補助配線の少なくとも一方が設けられていてもよい。
【００７７】
また、前記実施形態では、平面視において、第２網目状電極２２の第２接続部２２ｂに含まれる細線に重ならないように端部補助配線１２ｃを設けた。しかしながら、端部補助配線１２ｃを設けることによる静電容量の増加分が許容範囲内であれば、端部補助配線１２ｃを第２接続部２２ｂの細線と重なるように配置してもよい。
【００７８】
また、図５（ｂ）では、第１接続部１２ｂに含まれる細線の末端がすべて端部補助配線１２ｃによって接続されていたが、一部の細線の末端のみが端部補助配線１２ｃによって接続されていてもよい。この場合、当該端部補助配線１２ｃの有無によって、第１接続部１２ｂを第１方向Ｙに流れる電流の経路の実質的な本数が変わるように、端部補助配線１２ｃを設けることが好ましい。なお、「実質的な本数」とは、当該部分を電流が流れる際の経路となる細線の最少の本数をいう。例えば図５（ｂ）では、補助配線１２ｃが無い場合、第１接続部１２ｂにおける電流の経路の本数が１本の箇所と２本の箇所とがある。したがって、経路の最少の本数は１本となる。一方、図５（ｂ）のように補助配線１２ｃを設けることで、第１接続部１２ｂにおける経路の最少の本数が２本となる。このように、経路の最少の本数が増えることを「電流の経路の実質的な本数が増える」という。
端部補助配線１２ｃと中間補助配線１２ｄとを組み合わせて設ける場合も同様である。
【００７９】
また、図３では補助配線１２ｃが第１網目状電極１２の全ての接続部１２ｂに形成されているが、一部の接続部１２ｂにのみ補助配線１２ｃまたは１２ｄが形成されていてもよい。この場合、外部（引き出し部１４側）から電流が流れたとき、補助配線１２ｃ、１２ｄが無いと最も電流密度が大きくなる接続部１２ｂに、少なくとも端部補助配線１２ｃまたは中間補助配線１２ｄを設けることが好ましい。具体的には、図３のようにすべての接続部１２ｂが同様の形状である場合には、−Ｙ側端部に位置する接続部１２ｂが引き出し部１４から最も近いために最も電流密度が大きくなる。したがって、引き出し部１４から最も近い接続部１２ｂに、少なくとも端部補助配線１２ｃまたは中間補助配線１２ｄを設けることが好ましい。
【００８０】
また、前記実施形態では、非ループ回路を構成する第１網目状電極１２に補助配線１２ｃ、１２ｄを設け、ループ回路Ｌを構成する第２網目状電極２２に補助配線を設けなかった。これは先述の通り、同じ電流を流した時に、非ループ回路のほうがループ回路よりも電流密度が高くなる傾向があるためである。
この点を鑑みると、電流密度がより高くなる電極に補助配線を設けることが重要である。例えば、第１網目状電極１２および第２網目状電極２２が両方ともループ回路または非ループ回路を構成する場合には、最も電流密度が高くなる接続部を選択して補助配線を設けるとよい。
同様に、メッシュ構造の細線の幅、ピッチ、電極の長さ等の条件によって、非ループ回路の電極よりもループ回路の電極のほうが電流密度が大きくなる場合には、ループ回路を構成する電極の接続部に補助配線を設けるとよい。
【００８１】
また、前記実施形態では第１接続部１２ｂの幅が第１セル部１２ａの幅よりも小さく、第２接続部２２ｂの幅が第２セル部２２ａの幅よりも小さかった。しかしながら、第１接続部１２ｂと第１セル部１２ａとで幅が同等、若しくは第２接続部２２ｂと第２セル部２２ａとで幅が同等の構成に本実施形態を適用してもよい。このような構成でも、接続部１２ｂ、２２ｂにおける細線の本数をセル部１２ａ、２２ａよりも少なくすることにより、接続部１２ｂ、２２ｂにおける過電流に対する耐久性が低下するという課題が生じうる。そして、接続部１２ｂ、２２ｂに補助配線１２ｃ、１２ｄを設けることで、このような課題を改善することができる。
【００８２】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００８３】
１…入力装置  ２…タッチパネル  ３…カバー体  ７…画像表示装置  ８…配線体  １０…第１配線層  １０ａ…第１配線パターン  １２…第１網目状電極  １２ａ…第１セル部  １２ｂ…第１接続部  １２ｃ…端部補助配線（補助配線）  １２ｄ…中間補助配線（補助配線）  ２０ａ…第２配線パターン  ２２…第２網目状電極  ２２ａ…第２セル部  ２２ｂ…第２接続部  ３０…回路基板（外部回路）  Ｌ…ループ回路  Ｘ…第２方向Ｘ  Ｙ…第１方向Ｙ  Ｚ…上下方向Ｚ
【図１】
2020021169.tif 000004
【図２】
2020021169.tif 000005
【図３】
2020021169.tif 000006
【図４】
2020021169.tif 000007
【図５】
2020021169.tif 000008
【図６】
2020021169.tif 000009
【図７】
2020021169.tif 000010